(57)【要約】【課題】湯温混合弁が異常モードに陥ったとしても、安全性の高い貯湯式温水器を提供すること。【解決手段】本発明の貯湯式温水器は、湯を貯える貯湯タンク１と、貯湯タンク１内の湯水を加熱する加熱手段１０と、貯湯タンク１下部へ水を供給する入水管２と、貯湯タンク１の上部から高温湯を出湯する給湯管３と、入水管２から分岐する給水管４と、給湯管３と給水管４とを接続する混合弁５と、給水管４から混合弁５をバイパスして給湯管３へ接続するバイパス管７と、バイパス管７の途中に配設したバイパス弁８と、混合弁５で混合し給湯端末へ供給する湯の温度を検出する湯温検知装置９とを備え、湯温検知装置９で検知した温度が、設定温度より高い状態をある一定時間検出した時には、バイパス弁８を開く。【選択図】図１
2009228980.tif 000002
【特許請求の範囲】
【請求項１】
湯を貯える貯湯タンクと、前記貯湯タンク内の湯水を加熱する加熱手段と、前記貯湯タンク下部へ水を供給する入水管と、前記貯湯タンクの上部から高温湯を出湯する給湯管と、前記入水管から分岐する給水管と、前記給湯管と前記給水管とを接続する混合弁と、前記給水管から前記混合弁をバイパスして前記給湯管へ接続するバイパス管と、前記バイパス管の途中に配設したバイパス弁と、前記混合弁で混合し給湯端末へ供給する湯の温度を検出する湯温検知装置とを備え、前記湯温検知装置で検知した温度が、設定温度より高い状態をある一定時間検出した時には、前記バイパス弁を開くことを特徴とする貯湯式温水器。
【請求項２】
前記バイパス弁に電磁弁を用いたことを特徴とする請求項１に記載の貯湯式温水器。
【請求項３】
前記バイパス弁に流量制御弁を用いたことを特徴とする請求項１に記載の貯湯式温水器。
【発明の詳細な説明】
【技術分野】
【０００１】
本発明は、湯温混合弁により出湯湯温を調整する貯湯式温水器に関するものである。
【背景技術】
【０００２】
従来、湯温混合弁により出湯湯温を調整する貯湯式温水器は、貯湯タンク上部の高温水と給水管より供給される低温水とを設定温度へ混合し出湯していた（例えば、特許文献１参照）。
【０００３】
図３は、特許文献１に記載された従来の湯温混合弁により出湯湯温を調整する貯湯式温水器の構成を示すものである。
【特許文献１】特開２００７−２７８６５１号公報
【発明の開示】
【発明が解決しようとする課題】
【０００４】
しかしながら、前記従来の構成では、湯温混合弁のロック等の故障が発生すると、混合弁の開度変更ができなくなり、ひいては混合弁で混合する湯の温度の調節ができなくなってしまう。つまり、温度が高温側で混合弁がロックしてしまうと、設定温度よりも高い温度の湯がそのまま出湯されるという課題を有していた。
【０００５】
本発明は、前記従来の課題を解決するもので、湯温混合弁が異常モードに陥ったとしても、安全性の高い貯湯式温水器を提供することを目的とする。
【課題を解決するための手段】
【０００６】
前記従来の課題を解決するために、本発明の貯湯式温水器は、湯を貯える貯湯タンクと、前記貯湯タンク内の湯水を加熱する加熱手段と、前記貯湯タンク下部へ水を供給する入水管と、前記貯湯タンクの上部から高温湯を出湯する給湯管と、前記入水管から分岐する給水管と、前記給湯管と前記給水管とを接続する混合弁と、前記給水管から前記混合弁をバイパスして前記給湯管へ接続するバイパス管と、前記バイパス管の途中に配設したバイパス弁と、前記混合弁で混合し給湯端末へ供給する湯の温度を検出する湯温検知装置とを備え、前記湯温検知装置で検知した温度が、設定温度より高い状態をある一定時間検出した時には、前記バイパス弁を開くことにより、混合弁にロック等の異常が発生した場合であっても、出湯温度を低下させることが可能となり、安全性を向上させることができる。
【発明の効果】
【０００７】
本発明は、湯温混合弁が異常モードに陥ったとしても、安全性の高い貯湯式温水器を提供することができる。
【発明を実施するための最良の形態】
【０００８】
第１の発明の貯湯式温水器は、湯を貯える貯湯タンクと、前記貯湯タンク内の湯水を加熱する加熱手段と、前記貯湯タンク下部へ水を供給する入水管と、前記貯湯タンクの上部から高温湯を出湯する給湯管と、前記入水管から分岐する給水管と、前記給湯管と前記給水管とを接続する混合弁と、前記給水管から前記混合弁をバイパスして前記給湯管へ接続するバイパス管と、前記バイパス管の途中に配設したバイパス弁と、前記混合弁で混合し給湯端末へ供給する湯の温度を検出する湯温検知装置とを備え、前記湯温検知装置で検知した温度が、設定温度より高い状態をある一定時間検出した時には、前記バイパス弁を開くことにより、混合弁にロック等の異常が発生した場合であっても、出湯温度を低下させることが可能となり、安全性を向上させることができる。
【０００９】
第２の発明の貯湯式温水器は、特に第１の発明において、前記バイパス弁に電磁弁を用いたことにより、確実に水温を低下させることができる。
【００１０】
第３の発明の貯湯式温水器は、特に第１の発明において、前記バイパス弁に流量制御弁を用いたことにより、バイパス管を通る水量を制御することができるので、混合弁がロックしたとしても、設定温度の湯が混合可能となる。
【００１１】
以下、本発明の実施の形態について、図面を参照しながら説明する。なお、この実施の形態によって本発明が限定されるものではない。
【００１２】
（実施の形態１）
図２は、本発明の第１の実施の形態における貯湯式温水器の構成図を示すものである。図２において、湯水を貯える貯湯タンク１の下部へ入水管２が接続してあり、上部には給湯管３が接続している。そして、入水管２の途中から給水管４が分岐しており、給水管４と給湯管３とが混合弁５で接続されている。そして、混合弁５の下流側の出湯管６には、湯温検知装置である出湯サーミスタ９が取り付けられており、混合弁５で混合される湯の温度を検知している。そして、出湯管６の湯は給湯端末１１（例えば、蛇口など）に供給される。
【００１３】
また、給水管４から混合弁５をバイパスして給湯管３へ接続するバイパス管７が設けられている。そしてバイパス管７の途中にはバイパス弁８として電磁弁が用いられている。
【００１４】
一方、貯湯タンク１内には入水管２を通って、低温水が供給されるとともに、貯湯タンク１の下部の水を、熱源１０で加熱し、貯湯タンク１の上部に戻す構成としている。なお、本実施の形態では、熱源１０としてヒートポンプを用いているが、これに限定されることはなく、例えば、電気ヒーター等でも代用することができる。
【００１５】
以上のように構成された貯湯式温水器について、以下、その動作、作用を説明する。
【００１６】
図２は、混合弁の湯温調節の動作シーケンスの図である。図１、２において、給湯開始時には、電磁弁８は閉状態となっており、蛇口１１を開く（ＳＴＥＰ１）と同時に、貯湯タンク１内の高温水と水とが混合されて給湯端末から湯が出る。そして、出湯サーミスタ９で検出する温度が、台所などに設けられたリモコン（図示せず）で設定された設定温度となるように、混合弁５の開度を制御する（ＳＴＥＰ２）。
【００１７】
そして、出湯サーミスタで検知される温度が設定温度であるかどうかを判断して（ＳＴＥＰ３）、設定温度であれば正常動作であると判断する（ＳＴＥＰ４）。一方、ＳＴＥＰ３にて、検知される温度が設定温度でなければ、予め設定されている異常高温の判定温度と、現在の温度とを比較し（ＳＴＥＰ５）、判定温度未満であれば、ＳＴＥＰ２に戻って、混合弁を駆動して温度調節を行う。
【００１８】
しかしながら、ＳＴＥＰ５にて検知される温度が設定温度よりも高ければ、時間をカウントし始める。そしてカウントし始めた時間が、予め設定された判定時間よりも長いか短いかを判定する（ＳＴＥＰ６）。カウント時間が予め設定された判定時間以上でなければ、再度ＳＴＥＰ２に戻って、混合弁を駆動して温度調節を行う。
【００１９】
そして、カウント時間が予め設定された判定時間以上であれば、異常動作であると判断する（ＳＴＥＰ７）。異常動作であると判断されれば、バイパス弁（電磁弁）を開き、給湯管３に水を供給して、混合弁５に入る湯の温度を低下させる（ＳＴＥＰ８）。そして、
リモコンの表示画面に、混合弁が異常であることの表示を行い、ユーザーに報知して、故障していることを認識させる。
【００２０】
以上のように、予め設定された温度よりも高い温度の状態が、予め設定された時間継続すると、バイパス弁を開くことで、混合弁に入る湯の温度を低下させ、ひいては、混合弁で混合された湯の温度を低くすることができるので、ユーザーへの安全性を向上させることができる。
【００２１】
また、バイパス弁８を電磁弁に替えて、流量制御弁としてもよい。この場合、混合弁に異常があると判断されると、出湯サーミスタ９で検出する温度が、設定温度となるように流量制御弁の開度を調節することで、混合弁がロック等の異常が発生して所望の温度に混合できない場合であっても、バイパス管を通して湯温をコントロールすることができるので、非常に使用性の高い貯湯式温水器を提供することができる。
【産業上の利用可能性】
【００２２】
以上のように、本発明にかかる貯湯式温水器は、ヒートポンプ給湯機だけでなく、電気ヒーターを熱源とした電気温水器等にも適用することができる。
【図面の簡単な説明】
【００２３】
【図１】本発明の第１の実施の形態における貯湯式温水器の構成図
【図２】混合弁の動作シーケンスを示した図
【図３】従来の貯湯式温水器の構成図
【符号の説明】
【００２４】
１  貯湯タンク
２  入水管
３  給湯管
４  給水管  
５  混合弁
６  出湯管
７  バイパス管
８  バイパス弁（電磁弁、流量制御弁）
９  出湯サーミスタ
１０  熱源
１１  蛇口
【図１】
2009228980.tif 000003
【図２】
2009228980.tif 000004
【図３】
2009228980.tif 000005